(57)【特許請求の範囲】
【請求項１】
浴室に隣接して配置された洗面所と、前記浴室及び洗面所のうちいずれかに隣接して配置された便所と、前記浴室、洗面所または便所に隣接して配置された将来的に寝室となる部屋とを備え、前記便所、洗面所、浴室及び部屋のうち少なくとも一つは、建物躯体を構成する構造壁と、取り外し可能あるいは移動して配置可能な間仕切り壁とにより囲まれており、
前記部屋には出入口が設けられ、この出入口の両側縁部は、建物躯体を構成する構造壁と、該構造壁から離間して配置され着脱可能な間仕切り壁とで形成されており、
前記出入口を開閉する引戸が設けられ、前記構造壁とで出入口の両側縁部を形成する前記間仕切り壁は、前記出入口の一方の側縁部を形成する位置から取り外して、前記引戸の側端面に接合可能に形成されていることを特徴とする住宅。
【請求項２】
浴室に隣接して配置された洗面所と、前記浴室及び洗面所のうちいずれかに隣接して配置された便所と、前記浴室、洗面所または便所に近接配置された将来的に寝室となる部屋と、前記浴室、洗面所または便所と前記部屋とを連絡する廊下を備え、
前記廊下は、前記浴室、洗面所または便所と前記部屋との間に配置されるとともに建物躯体を構成する構造壁と、該構造壁に対し所定間隔を空けて対向配置され、前記構造壁に対して離間移動して設置可能な間仕切り壁とで仕切られていることを特徴とする住宅。
【請求項３】
浴室に隣接して配置された洗面所と、前記浴室及び洗面所のうちいずれかに隣接して配置された便所と、前記浴室、洗面所または便所に隣接して配置された将来的に寝室となる部屋とを備え、前記便所、洗面所、浴室及び部屋のうち少なくとも一つは、建物躯体を構成する構造壁と、取り外し可能あるいは移動して配置可能な間仕切り壁とにより囲まれており、
前記構造壁と前記間仕切り壁とにより囲まれている前記便所、洗面所、浴室及び部屋のうち少なくとも一つは便所であり、この便所に隣接して収納室が形成され、前記間仕切り壁は、前記便所と収納室とを仕切るとともに、前記収納室側に平行移動可能に設けられていることを特徴とする住宅。
【発明の詳細な説明】
【０００１】
【発明の属する技術分野】
本発明は、居住者が、将来、虚弱になったり障害が生じたりして車椅子での介護や介助が必要になった場合に容易にリフォームできる住宅に関するものである。
【０００２】
【背景の技術】
一般に住宅を構築する場合には、まずその敷地の面積や形状、さらには隣接する地形や地理条件などに合わせて建物部分の各階の間取りを設計し、その設計に基づいて住宅を構築する。その施工方法としては、在来の軸組工法や、特許２５３４７７５号公報に開示のユニット工法などが挙げられ、これらの工法により設計に基づいた住宅を構築することが知られている。
【０００３】
【発明が解決しようとする課題】
ところで、一般的な住宅は、長期居住した居住者の要望によってリフォームされ、間取りが変更されることが考えられる。
例えば、居住者が高齢で虚弱になったりあるいは障害などが生じ、車椅子での移動を行うようになった際に、居室、玄関、便所、洗面所及び浴室等への移動の際に車椅子が通れるような広さ、特に、便所、洗面所などにおいて介護人が付き添える広さに間取りを変更する等である。
この場合、上述したように構築された住宅では、新築時には、車椅子での移動が可能となるような間取りで構築されていないため、通路の拡幅や便所及び洗面所の領域を広くする際には、建物躯体を構成する壁体などの構造壁を変更するなどする必要が生じ改築作業が大がかりなものとなってしまい、その分、リフォームのコストが嵩むとともに手間がかかる。
【０００４】
本発明の課題は、居住者が将来、車椅子で生活する障害者、虚弱者になった場合でもそれに対応して容易にリフォームできる住宅を提供することである。
【０００５】
【課題を解決するための手段】
以上の課題を解決すべく請求項１記載の発明は、例えば、図１に示すように、浴室３に隣接して配置された洗面所４と、前記浴室３及び洗面所４のうち何れかに隣接して配置された便所２と、前記浴室３、洗面所４または便所２に隣接して配置された将来的に寝室となる部屋（例えば和室５）とを備え、前記便所２、洗面所４、浴室３及び部屋５のうち少なくとも一つ（例えば便所２）は建物躯体を構成する構造壁（例えば、外壁１０１，間仕切り壁１０２・１０３）と、取り外し可能あるいは移動して配置可能な間仕切り壁（例えば開口壁７）とにより囲まれており、
前記部屋（例えば和室５）には出入口（例えば開口部１１１ａ）が設けられ、この出入口１１１ａの両側縁部は、建物躯体を構成する構造壁（例えば構造壁部１１３）と、該構造壁１１３から離間して配置され着脱可能な間仕切り壁（例えば可変壁部７Ｂ）とで形成されており、
前記出入口（例えば開口部１１１ａ）を開閉する引戸１１５が設けられ、前記構造壁（例えば構造壁部１１３）とで出入口１１１ａの両側縁部を形成する前記間仕切り壁（例えば可変壁部７Ｂ）は、前記出入口１１１ａの一方の側縁部を形成する位置から取り外して、前記引戸１１５の側端面に接合可能に形成されていることを特徴とする。
【０００６】
請求項１記載の住宅にあっては、前記将来的に寝室なる部屋５が、浴室３に隣接する洗面所４と便所２とのうちのいずれか一方（例えば洗面所４）と隣接し、前記部屋５、便所２、洗面所４及び浴室３のうち少なくとも一つ（例えば便所２）は建物躯体を構成する構造壁１０１，１０２，１０３と、取り外し可能あるいは移動して配置可能な間仕切り壁７とにより囲まれているので、リフォーム時に前記間仕切り壁７を取り外したり、移動して配置するだけで、建物躯体を構成する構造壁を変更する等の大がかりな作業を必要とせず、前記部屋５、便所２、洗面所４及び浴室３のうち少なくとも一つの領域を大きくしたり、その出入り（例えば便所２の出入り）を容易に行う構造とすることができる。つまり、居住者が将来、車椅子で生活する障害者、虚弱者になった場合でも、それに対応して、車椅子が必要な居住者が生活するために必要な部屋、便所、洗面所及び浴室を繋ぐ動線が短く、前記部屋、便所、洗面所及び浴室のうち少なくとも一つを、介護、介助者により介護、介助可能なスペースを有する広さにすることができ、前記部屋、便所、洗面所及び浴室のうち少なくとも一つを車椅子で移動できるように容易に構築（リフォーム）することができる。
【０００８】
また、浴室３、洗面所４または便所２に隣接して配置され将来的に寝室となる部屋５の出入口１１１ａの両側縁部は、建物躯体を構成する構造壁１１３と、該構造壁１１３から離間して配置され着脱可能な間仕切り壁７Ｂとで形成されているで、前記間仕切り壁７Ｂを取り外すだけで出入口１１１ａの大きく、具体的には車椅子での通行が可能な部屋５を容易に構築することができる。
【００１０】
また、必要に応じて、前記間仕切り壁７Ｂを前記出入口１１８の一方の側縁部を形成する位置から取り外して、前記引戸１１５の側端面に接合することで、容易に前記出入口１１１ａを拡幅することができるととともに、拡幅された出入口１１１ａを遮蔽する引戸１１５を容易に設置することができる。つまり、拡幅された出入口１１１ａに対応した別の引戸を用意する必要がなく、施工コストの低廉化を図ることができる。
【００１１】
請求項２記載の発明は、例えば、図７及び図９に示すように、浴室３Ｂに隣接して配置された洗面所４Ｂと、前記浴室３Ｂ及び洗面所４Ｂのうちいずれかに隣接して配置された便所２Ｂと、前記浴室３Ｂ、洗面所４Ｂまたは便所２Ｂに近接配置された将来的に寝室となる部屋５Ｂと、前記浴室３Ｂ、洗面所４Ｂまたは便所２Ｂと前記部屋５Ｂとを連絡する廊下（例えば寝室内廊下５１）を備え、前記廊下５１は、前記浴室３Ｂ、洗面所４Ｂまたは便所２Ｂと前記部屋５Ｂとの間に配置されるとともに、建物躯体を構成する構造壁（例えば、間仕切り壁１５０の一部分）と、該構造壁１５０に対し所定間隔を空けて対向配置され、前記構造壁１５０に対して離間移動して設置可能な間仕切り壁（例えば可変間仕切り壁７Ｆ）とで仕切られていることを特徴とする。
【００１２】
請求項２記載の住宅にあっては、前記浴室３Ｂ、洗面所４Ｂまたは便所２Ｂと前記部屋５Ｂとを連絡する廊下５１が、前記浴室３Ｂ、洗面所４Ｂまたは便所２Ｂと部屋５Ｂとの間に配置される構造壁１５０と、前記構造壁１５０に対して離間移動して設置可能な間仕切り壁７Ｆとで仕切られているので、リフォーム時に前記間仕切り壁７Ｆを前記構造壁１５０に対して離間移動して設置するだけで前記廊下５１の幅を容易に広くすることができる。
【００１３】
請求項３記載の発明は、例えば、図４及び図５に示すように、浴室３Ａに隣接して配置された洗面所４Ａと、前記浴室３Ａ及び洗面所４Ａのうちいずれかに隣接して配置された便所２Ａと、前記浴室３Ａ、洗面所４Ａまたは便所２Ａに隣接して配置された将来的に寝室となる部屋５Ａとを備え、前記便所２Ａ、洗面所４Ａ、浴室３Ａ及び部屋のうち少なくとも一つは、建物躯体を構成する構造壁と、取り外し可能あるいは移動して配置可能な間仕切り壁とにより囲まれており、
前記構造壁（例えば間仕切り壁１３３，外壁１３４，入り口側壁部１３５）と前記間仕切り壁（例えば可変間仕切り壁７Ｄ）とにより囲まれている前記便所、洗面所、浴室及び部屋のうち少なくとも一つは便所２Ａであり、この便所２Ａに隣接して収納室（例えば収納部３６）が形成され、前記間仕切り壁７Ｄは、前記便所２Ａと収納室３６とを仕切るとともに、前記収納室３６側に平行移動可能に設けられていることを特徴とする。
【００１４】
請求項３記載の住宅にあっては、隣接して配置された便所２Ａ及び収納室３６は、収納室３６側に平行移動可能な前記間仕切り壁７Ｄにより仕切られているので、間仕切り壁７Ｄを収納室３６側に移動して設置し、前記便所２Ａの領域を大きくすることができる。これにより居住者が便所２Ａを利用する際に介助が必要な場合でも、便所２Ａ内において介助者が介助可能なスペースを確保することができる。また、車椅子で便所内に入り該便所内において車椅子から便器へ移動することができる。
【００１７】
【発明の実施の形態】
以下に、本発明に係る住宅の実施の形態例を図面に基づいて説明する。なお、各図において太線で示される壁部分は建物躯体を支持する構造壁としての壁を表している。
［第１の実施の形態］
図１に示す間取りを有する住宅１は、居住者が将来、高齢時において虚弱になったり障害が生じたりして車椅子での生活を行う必要が生じた際に、住宅内での通路、便所、洗面所など、介助が必要な広さに容易にリフォームできるように予め構築されたものである。
図１に示す住宅１は平面視略正方形状の敷地１１内に該敷地の一側辺に沿って設けられた駐車スペース１１ａに並んで構築され、住宅１の玄関１２側を正面側とすると、敷地１１内において駐車スペース１１ａの左側に配置されている。
【００１８】
この住宅１の間取りでは、玄関１２の奥側に隣接してキッチン１３が配置され、玄関１２及びキッチン１３の左側に、該玄関１２及びキッチン１３に隣接してリビング１４ａダイニング１４ｂのそれぞれが連通した状態で配置されている。なお、玄関１２の正面側、つまり屋外には、玄関ポーチ１５が配置されており、この玄関ポーチ１５の正面側には、ポーチ１６が配置され、このポーチ１６は、道接する敷地１１の正面側の側辺部１１ｂに接するように配置され、門扉１７ａを備えた外構１７に連続するように設けられている。
【００１９】
リビング１４ａと連通して設けられたダイニング１４ｂには、上階に至る折り返し階段１８１を構成する下階段１８ａと、収納部１８ｂを備えた階段室１８が配置され、この階段室１８の左側に隣接して、便所２が配置されている。
便所２の左側に隣接して、浴室３が配置され、浴室３の正面側には、該浴室３に隣接して洗面所４が配置されている。
【００２０】
便所２は、住宅１の背面側の外壁１０１と、浴室３とを仕切る間仕切り壁１０２と、間仕切り壁１０２と対向して配置されるとともに便所２と階段室１８とを仕切る間仕切り壁１０３と、間仕切り壁１０２・１０３の先端部に亘って配置された開口部７ａを有する開口壁７とで四方を囲まれた状態で形成されている。なお、外壁１０１及び間仕切り壁１０２，１０３はそれぞれ住宅１の躯体を支持する構造壁である。
【００２１】
開口壁７は、壁本体と、便所２の出入り口となる開口部７ａとともに、該開口部７ａを閉塞可能な片開きドア７ｂを有する。また、この開口壁７は着脱可能に形成されている。
浴室３と洗面所４とは間仕切り壁１０５に仕切られ、この間仕切り壁１０５は建物の耐力壁となっている構成壁部１０５ａと、該構成壁部１０５ａと同一直線上に配置され、該構成壁部１０５ａに連続する間仕切り壁部７Ａとから構成されている。なお、間仕切り壁部７Ａは上下方向に長尺な板状に形成されているとともに、洗面所４と浴室３との往き来を可能とする開口部７ｃの一側縁部を形成し、この開口部７ｃには開閉する浴室用の折り畳みドアが取り付けられている。
【００２２】
また、洗面所４の右側に隣接して、引違いドア２０で仕切られた便所前廊下部２１が配置されている。
これら洗面除４及び便所前廊下部２１の正面側に隣接して、将来的に介護用の寝室となる和室５が配置されている。
和室５は畳敷きの部屋であり、住宅１の左側の外壁１１０と、該外壁１１０と直交し互いに平行に配置された奥側間仕切り壁１１１及び間口側間仕切り壁１１２と、外壁１１０と平行に配置され、奥行側及び間口側間仕切り壁１１１，１１２のそれぞれと直交しかつ隣り合うとともにリビング１４ａとを仕切るリビング側間仕切り壁１１９とで囲まれている。なお、リビング側間仕切り壁１１９にはリビング１４ａと往き来可能な開口部１１９ａを有する。
【００２３】
奥側間仕切り壁１１１は、便所前廊下部２１に連通し、和室５の出入口となる開口部１１１ａが形成されるように所定間隔を空けて一直線上に並べた状態で配置された第１壁部１１３と第２壁部１１４とを有する。
第１壁部１１３は和室５と洗面所４とを仕切る構造壁である。また、第２壁部１１４は基端部がリビング側間仕切り壁１１９に直交して接続され、和室側の内壁面に、開口部１１１ａを閉塞可能な引戸１１５が収納される切欠部１１４ａが形成された構造壁部分１１４ｂと、構造壁部分１１４ｂの開口部１１１ａ側の先端部に着脱可能に取り付けられた可変壁部７Ｂ等とを有し、構築時では、この可変壁部７Ｂと第１壁部１１３とで開口部１１１ａの両側縁部を形成している。なお、この可変壁部７Ｂの上下方向の長さをここでは引戸１１５の上下方向の長さと略同一のものとして形成している。
【００２４】
切欠部１１４ａは、可変壁部７Ｂの横幅（図１（ｂ）で示す長さＡ）と引戸１１５の横幅（同図で示す長さＢ）とを合わせた長さ分（図１（ｂ）で示す長さＣ）、構造壁部分１１４ｂの可変壁部７Ｂとの接合端面から基端部側に形成されている。また、第２壁部１１４は切欠部１１４ａを有することで、開口部側より基端部側の厚みの方が厚く形成されてなり、この基端部側の厚みは、引戸１１５の厚みと先端部側の厚みとを合わせた厚みと略等しい厚みとなっている。
また、第２壁部１１４において和室５側の面には、切欠部１１４ａ内に収納される引戸１１５が開口縁部から離間するのを防止するストッパ１１７が取り付けられている。なお、切欠部１１４ａを上下で区画する部位と、この部位の延長線上で且つ開口部の上下縁部近傍に位置する部位には、引戸を切欠部１１４ａ部分に円滑に案内するガイドレールが配置されている。
【００２５】
そして、和室５の間口側間仕切り壁１１２には、引違い戸１１８ａが取り付けられた開口部１１８が設けられ、この開口部１１８を介して、和室５の間口側に隣接する縁側部２２に出入り可能となっている。縁側部２２は住宅１の正面側の外壁１２０に沿って、右側に延在し、リビング１４ａの正面側に配置されるとともにリビング１４ａに連通している。
外壁１２０には、引違い窓１２１ａが取り付けられた開口部１２１が形成され、この開口部１２１を介して、屋外で正面側の外壁１２０に隣接配置されたテラス２４に往き来自在となっている。
【００２６】
構築された住宅では、居住者が高齢時に虚弱になったり、あるいは障害が生じたりして車椅子での生活が必要となった場合、車椅子での生活に対応するように、寝室と便所、浴室及び洗面所などサニタリー室との距離が近く、さらに、これら部屋間の移動を車椅子で移動できるように、リフォームする必要が生じる。
この際、虚弱や障害の進度などを考慮すると、その施工期間は極力短いほうが好ましい。
【００２７】
上記住宅１によれば、構築時に予め、将来的に寝室となる和室５を便所２、浴室３及び洗面所４等のサニタリー設備を有する部屋、ここでは洗面所４に隣接して配置し、便所２や浴室３及び和室５の入り口を構成する壁部（具体的には開口壁７、間仕切り壁部７Ａ、奧側間仕切り壁１１１、間仕切り壁１０５）が、可変可能な間仕切り壁７、１４９、間仕切り壁部７Ａ，可変壁部７Ｂを有するので、リフォーム時に、和室５の内部を畳敷きに換えてフローリング張りにし、便所２の出入口を形成する開口壁７、浴室の出入口を形成する間仕切り壁部７Ａ、和室５の出入口を形成する可変壁部７Ｂを外すことで、図２（ａ）に示すように、これらの出入口（開口部７ａ，７ｃ，１１ａ部分）を広くして、車椅子での通行を容易に行う間取りとすることができる。なお、和室５の出入口の構築時の幅を例えば９１０ｍｍ、可変壁部７Ｂを外したリフォーム後の開口幅を例えば、１０００ｍｍとする。
【００２８】
特に、和室５の可変壁部７Ｂは、図２（ｂ）に示すように、構造壁部分１１４ｂから取り外した後、引戸１１５の一側端部１１５ａに固定する（図３参照）ことで、和室５の開口部１１１ａを容易に拡幅できることに加えて、その拡幅された開口部１１１ａを閉塞するに十分な幅の引戸１１５Ａを形成することができる。その際、構造壁部分１１４ｂの和室側の壁面に取り付けられたストッパ１１７（図１（ｂ）参照）を外すことで、引戸１１５Ａをリビング側間仕切り壁１１９側に引き、切欠部１１４ａ内に完全に収容することができるので、拡幅された開口部１１１ａを完全に開放することができる。
さらに、リフォーム後、和室５を寝室としてもこの寝室は、浴室３に隣接する洗面所４と隣接して配置されているので、洗面所４は勿論のこと浴室３、便所２への動線が短く、これらを利用する居住者の移動を容易とすることができる。
【００２９】
［第２の実施の形態］
図４（ａ）に示す住宅１Ａでは、玄関３０が住宅１Ａ正面の略中央部に配置され、この玄関３０の奧側に、上階に至る階段３１が配置された玄関ホール３２、キッチン３３が並んで配置されている。また、これら玄関３０、玄関ホール３２及びキッチン３３の左側には部屋３５が配置され、右側には、洗面所４Ａ、浴室３Ａ及び便所２Ａ等のサニタリー室と、該サニタリー室の正面側で該サニタリー室（この実施の形態では便所２Ａ及び洗面所４Ａ）に隣接するとともに収納部３６を備える和室５Ａが配置されている。
洗面所４Ａはキッチン３３の右側で該キッチン３３に隣接配置されており、正面側の端部で和室５Ａと隣接している。この正面側端部に配置された引違い戸３４を介して和室５と往き来自在となっている。
また、洗面所４Ａの右側に浴室３Ａが隣接配置されている。浴室３Ａの正面側には、浴室３Ａに隣接するとともに洗面所４Ａとも隣接する便所２Ａが配置されている。
【００３０】
便所２Ａは洗面所４Ａからドア１３０が取り付けられた開口部（出入口）１３１を介して往き来自在に設けられている。
便所２Ａは、該便所２Ａと浴室３Ａとを仕切る構造壁である間仕切り壁１３３と、住宅１Ａの右側の外壁１３４、出入口としての開口部１３５ａを有する入り口側壁部１３５と、便所２Ａと収納部３６とを仕切るとともに間仕切り壁１３３に対して平行に離間する方向に移動可能に配置された可変間仕切り壁７Ｄとから囲まれることで形成されている。
可変間仕切り壁７Ｄは、収納部３６を鉛直平面で塞ぐ矩形板状をなし、図５に示すように和室５Ａの収納部３６内を収納部３６の前後方向に移動自在に取り付けられ、収納部３６の背板として機能する。
【００３１】
つまり、収納部３６の上面３６ａには、前後方向に延在するレール部３６ｂが取り付けられ、可変間仕切り壁７Ｄの上端面７ｃには、レール部３６ｂに沿って摺動する摺動部材７ｄが取り付けられている。摺動部材７ｄはレール部３６ｂ内の所定位置で固定可能に構成されるものであり、例えば、可変間仕切り壁７の上端面７ｃから上下方向にそれぞれ突出度合いを調整可能に取り付けられたボルトであり、このボルトを緩める、つまり突出度合いを小さくすることで可変間仕切り壁７Ｄをレール部３６ｂに沿って所定の位置に移動し、所定の位置で突出度合いを大きくすることでレール部３６ｂの底面部を押圧して可変間仕切り壁７Ｄを固定する構成などが挙げられる。なお、この収納部３６は和室５Ａ側から使用するものであり、和室５Ａに連通する開口部を有し、この開口部には引違い戸が取り付けらている。
【００３２】
このように、便所２Ａを区画する一方の側壁が可変間仕切り壁７Ｄであるので、図４（ｂ）及び図５に示すように、リフォーム時に可変間仕切り壁７Ｄを便所２Ａに対して後退させることで便所２Ａ内の領域を大きくすることができる。したがって、車椅子や介助、介護が必要な居住者が便所２Ａを使用する際、これに対応して、可変間仕切り壁７Ｄを移動させるだけで、介護者や介助者が介助できるスペースを確保した便所２Ａを容易に構築することができる。なお、便所２Ａ内領域を広くする必要がなくなった際、つまり、居住者の障害が直る等して車椅子や介助者及び介護者の介助、介護が必要なくなった際には、可変間仕切り壁７Ｄを元の位置に戻すことでこれに対応することができる。
さらに、リフォーム後、和室５Ａを寝室としてもこの寝室は、洗面所４Ａと隣接して配置されているので、洗面所４Ａは勿論のこと浴室３Ａ、便所２Ａへの動線が短く、これらを利用する居住者の移動を容易とすることができる。
【００３３】
［第３の実施の形態］
図６〜図９に第３の実施の形態の住宅を示す。
この住宅は図６に示すように、背面側の略中央部に玄関４０が配置された２階建ての住宅である。
住宅１Ｂは、図７の１階の間取り図に示すように、平面視矩形状の敷地１１Ｂ内の略中央部に構築され、住宅１Ｂの左側には、敷地１１Ｂ内において左側の側辺部１１ｅに沿って且つ敷地１１Ｂの背面側の側辺部１１ｆから前方に延在する駐車スペース４１が配置されている。
また、住宅１Ｂは、略中央部に配置された階段４２を中心に、玄関ホール４０ａ、玄関ホール４０ａの右側に隣接して配置されたキッチン４３、キッチン４３の正面側に隣接して配置されたダイニング４４、ダイニング４４に隣接するとともに階段４２に接続されたリビング４５、リビング４５の左側に隣接配置された寝室５Ｂ、寝室５Ｂの背面側に配置されたサニタリー設備を有する部屋等とを有する。なお、ダイニングの上部は吹き抜けとなっている（図８参照）。
【００３４】
サニタリー設備を有する部屋としては、玄関４０の左側に隣接した洗面所４Ｂと、洗面所４Ｂの左側に隣接して配置された浴室３Ｂ、浴室３Ｂの正面側に隣接配置され、寝室５Ｂと隣接する便所２Ｂ、便所２Ｂの右側で且つ洗面所４Ｂの正面側に配置された廊下部４７などである。なお、廊下部４７は玄関ホール４０ａの左側に配置され該玄関ホール４０ａと連通しており、玄関４０から便所２Ｂ、洗面所４Ｂ、さらに洗面所４Ｂを介して浴室３Ｂ、また、寝室内廊下５１を介して寝室空間５２にそれぞれ往き来自在となっている。
【００３５】
洗面所４Ｂは、住宅１Ｂの背面側外壁１４０、玄関４０とを仕切る間仕切り壁１４１、浴室３Ｂとを仕切る間仕切り壁１４２、出入口となる開口部１４３ａが形成され背面側外壁１４０と平行に配置されるとともに廊下部４７とを仕切る開口壁部１４３とに囲まれ、これら壁１４０，１４１はそれぞれ住宅１Ｂ躯体を支持する構造壁である。また、開口壁部１４３は図示省略しているが、構造壁部分と該構造壁部分の開口側の側端面に取り付けられ、着脱可能な間仕切り壁部とからなり、この間仕切り壁部と間仕切り壁１４１とで洗面所４Ｂの出入口である開口部１４３ａを形成している。この構造については第１の実施の形態における奧側間仕切り壁１１１と同様に構成されており、必要に応じて間仕切り壁部を外し、開口部１４３ａを開閉する引戸の側端面に取り付けられることで、洗面所４Ｂの出入口を拡幅することができるものである。
【００３６】
浴室３Ｂは背面側外壁１４０、住宅の左側外壁１４５、間仕切り壁１４２、開口壁部１４３の構造壁部分により囲まれることで形成されている。また、浴室３Ｂの入り口となる開口部が設けられた間仕切り壁１４２には、開口部の一方の側縁部を構成する壁部分が着脱可能な可変壁で形成され、必要に応じて取り外し、出入口となる開口部を広くできるようになっている。
便所２Ｂは、住宅の左側外壁１４５、開口壁部１４３の便所２Ｂと浴室３Ｂとを仕切る構造壁部分、便所２Ｂと寝室５Ｂとを仕切る間仕切り壁１４７と、片開きドア１４８が取り付けられた開口部（便所の出入口）１４９ａを有するとともに着脱自在な間仕切り壁１４９とで囲まれている。
【００３７】
寝室５Ｂは、左側の外壁１４５と、間仕切り壁１４７と、階段４２及びリビング４５とを仕切る間仕切り壁１５０と、正面側に配置され開口部１５１ａが設けられた正面側の間仕切り壁１５１とで平面視矩形状に囲まれてなり、その内部に寝室空間５２、収納部５３、及び寝室内廊下５１を有する。
【００３８】
間仕切り壁１４７は、図９（ａ）に示すように、便所２と収納部５３とを仕切る構造壁部１５２と、構造壁部１５２の先端部に該構造壁部１５２と同一直線上に接続される第１調整壁部７Ｅとを有する。
この第１調整壁部７Ｅは構造壁部１５２に着脱可能に取り付けられたものであり、先端部には、間仕切り壁１５０のうち便所２Ｂ、浴室３Ｂ、洗面所４Ｂ等と寝室空間５２との間の部分に対して平行に、所定間隔を空けて配置されるとともに、着脱可能な可変間仕切り壁７Ｆの一端部が直交するように接続されている。
【００３９】
可変間仕切り壁７Ｆは収納部５３と寝室内廊下５１とを仕切るものであり、この可変間仕切り壁７Ｆの他端部は、寝室５Ｂ内において収納部５３と寝室空間５２とを仕切る寝室内間仕切り壁１５４に接合されている。
この寝室内間仕切り壁１５４は、間仕切り壁１４７に対して平行に離間して配置され、寝室空間５２と寝室内廊下５１とを連通させる開口部５８が設けられている。
【００４０】
この開口部５８は、寝室空間５２の出入り口であり、寝室内間仕切り壁１５４に沿って摺動自在に取り付けられた引戸５６により開閉可能となっている。
寝室内間仕切り壁１５４は、住宅１Ｂを支持するとともに基端部が外壁１４５に接合された構造壁部１５６と、該構造壁部１５６の先端部に該構造壁部１５６と同一直線上に接続されるとともに、第１調整壁部７Ｅと同形状の第２調整壁部７Ｇとを有し、この第２調整壁部７Ｇは、第１調整壁部７Ｅに対向配置された状態となっており、第１調整壁部７Ｅと同様、構造壁部１５６に対して着脱可能に取り付けられている。
【００４１】
この第２調整壁部７Ｇの先端部に可変間仕切り壁７Ｆの他端部が直交するように接続されている。なお、可変間仕切り壁７Ｆと、上述した間仕切り壁１５０との間の長さ、つまり室内廊下５１の幅はここでは、９１０ｍｍとしている。
寝室内間仕切り壁１５４において、構造壁部１５６は、基端部側を構成する肉厚部と、肉厚部の収納部側の面と面一の面を有するとともに肉厚部より厚みが薄い肉薄部とを有し、第２調整壁部７Ｇは肉薄部と同じ厚さで形成され、肉薄部に連続して設けられたものとなっている。この肉厚部、肉薄部及び第２調整壁部７Ｇとで寝室内間仕切り壁１５４の寝室側壁面に、引戸５６を収納するために設けられた切欠部１５９を形成している。なお、この第２調整壁部７ｇの上下方向の長さは、ここでは引戸５６の上下方向の長さと略同一のものとしている。
【００４２】
なお、この寝室内間仕切り壁１５４の構成は、上述した奧側間仕切り壁１１１の構造とほぼ同様である。すなわち、切り欠かれた部位１５９の少なくとも上面には、引戸を吊った状態で支持して案内する図示しないレールが配設されている。引戸５６の上面には、レール内に摺動可能に係止される係止部材が取り付けられ、この係止部材を介してレールに沿って摺動自在となっている。また、この引戸の厚さは、第２調整壁の厚みと略同一の厚みで形成されている。
また、肉薄部の横幅は、第２調整壁の横幅と引戸の横幅とを合わせた長さとなるように形成され、肉薄部の室内空間側の内壁面には、引戸を収納部に収納させる際に、引戸の一側端面に当接して該引戸を所定の位置で止めるストッパー（図示しない）が取り付けられている。
【００４３】
寝室５Ｂの正面側に配置された間仕切り壁１５１は、寝室５Ｂと寝室５Ｂの正面側に配置された縁側部６０とを仕切る。またこの間仕切り壁１５１に形成された開口部は約２ｍの横幅のものであり、引違い戸が取り付けられた建物の構造壁である。
縁側部６０は右側でリビング４５に連通するとともに、住宅１Ｂの正面側の外壁１６２に取り付けられた開閉自在の窓を介して濡れ縁６１に往き来可能となっている。
【００４４】
また、この住宅１Ｂでは、図８に示すように、２階部分に、下階に至る階段４２の上部分、正面側の外壁１６２の外面に沿って取り付けられたバルコニー６３、３つの寝室６４，６５，６６、便所６７、書斎６８等を備える。
【００４５】
このように構築された住宅１Ｂによれば、生活の為に必要な空間を広くする必要がある場合、つまり、高齢時などにおいて虚弱や障害が生じ、車椅子での生活する場合、１階の便所２Ｂの間仕切り壁１４９を取り外し、扉の大きな間仕切り壁を取り付けたり、図９（ｂ）に示すように、第１及び第２調整壁部７Ｅ，７Ｇを外し、間仕切り壁１４７及び寝室内間仕切り壁１５４のそれぞれの構造壁部１５２，１５６の先端部に、可変間仕切り壁７Ｆを接合させるだけで、便所２の入り口や、寝室内廊下５１の幅を広くして車椅子での移動を容易に行える間取りとすることができる。
また、外された第２調整壁部７Ｇは、第１実施の形態と同様に引戸５６の厚みと同じ厚みで構成すれば、引戸５６の一側端面に取り付けて、可変間仕切り壁７Ｆの移動により拡幅された開口部５８を好適に塞ぐ引戸を、別の引戸を用意することなく容易に且つ安価に形成することができる。
なお、寝室内廊下５１の構築時の幅を例えば９１０ｍｍ、可変間仕切り壁７Ｆを外したリフォーム後の開口幅を例えば、１０００ｍｍとする。
【００４６】
［第４の実施の形態］
図１０〜図１２に第４の実施の形態の住宅を示す。
図１０及び図１１に示す住宅１Ｃは、敷地１１Ｃ内の略中央部に構築された２階建てのものであり、敷地１１Ｃにおいて接道する側辺部側を正面とすると、敷地１１Ｃ内では、右側の側辺部１１ｈに沿って、駐車スペース７０が設けられている。
【００４７】
この住宅１Ｃでは、正面中央部に玄関７１が配置され、玄関７１の奧側に上階に至る階段室７２が配置されており、玄関７１の玄関ホール７１ａを介して往き来自在となっている。なお、玄関７１の玄関土間７１ｂの奥行は畳一畳分の９１０ｍｍとなっている。
玄関７１の右側には、該玄関７１に隣接してリビングダイニング７３が配置され、リビングダイニング７３の奧側には該リビングダイニング７３から往き来自在なキッチン７４が配置されている。キッチン７４は階段室７２の階段の上り口の右側に位置し、上り口を構成する階段下廊下部７２ａから往き来可能となっている。
【００４８】
また、玄関７１の左側には該玄関７１に隣接するとともに玄関７１の左側壁を構成する構造壁（以下、玄関左側壁部という）１８０により仕切られた和室５Ｃが配置されている。
和室５Ｃは、正面側に該和室５Ｃに隣接して縁側部７６が配置されているとともに、奧側には和室５Ｃに隣接して便所２Ｃ及び便所前廊下部７７が配置され、便所２Ｃの奧側には該便所２Ｃに隣接して浴室３Ｃが配置され、浴室３Ｃの右側に且つ廊下部７７の奧側には洗面所４Ｃが配置されている。便所２Ｃ、廊下部７７、浴室３Ｃ及び洗面所４Ｃはそれぞれ建物の構造壁である間仕切り壁１９０、１９２，１９３，１９４により仕切られている。
【００４９】
和室５Ｃは、住宅１Ｃの左側の外壁１９６と、正面側で縁側部７６とを仕切る間仕切り壁１９７と、玄関左側壁部１８０と、便所２とを仕切る壁部分を含む奧側の間仕切り壁部１９９とで囲まれている。
間仕切り壁部１９９には廊下部７７から和室５に連通するとともに引戸７９により開閉する開口部（出入口）８０が設けられ、この開口部８０の両側は、便所２Ｃとを仕切る左構造壁部２００と、該左構造壁部２００と同一直線上に所定間隔を空けて配置され、着脱可能な可変間仕切り壁部７Ｈ等とにより構成されている。
可変間仕切り壁７Ｈは、引戸７９と略同じ厚み及び高さで構成されているとともに、左構造壁部２００と略同一直線上に配置され、基端部が玄関左側壁部１８０に直交して接続された右構造壁部２０１に接続されている。
右構造壁部２０１は、和室５Ｃ側の面に切欠部２０２が形成され、この切欠部２０２に引戸７９を収納自在となっている。
このような間仕切り壁部１９９の構造は、上述した第１の実施の形態の奧側間仕切り壁１１１と同様に構成されたものである。つまり、切欠部分の上方に位置する部位には、開口部上面を形成する壁体の下端面に連続するとともに、引戸に取り付けられた係止部材を係止させることで引戸を吊った状態で移動可能に支持するレール部が設けられている。
【００５０】
なお、この住宅１Ｃの２階部分では、図１１に示すように、正面側の外壁にバルコニー８１が取り付けられており、屋内において、階段７２に隣接して右側に便所８２、書斎８３が配置され、書斎８３の正面側には、１階のダイニング上方に位置する吹き抜け空間８４が形成されている。この吹き抜け空間８４の正面側には子供部屋８５が配置され、子供部屋８５の左側に順に、書斎８６、該書斎８６と連通する寝室８７が配置されている。さらにこの寝室８７の背面側に隣接して第２子供部屋８８が配置されている。
【００５１】
このように構成された住宅１Ｃによれば、居住者が高齢時などにおいて虚弱、障害が生じ、生活において一時的にでも車椅子が必要となり、介護あるいは介助が必要となった場合でも、便所２Ｃに隣接する１階部分の和室５Ｃを介護用の寝室とするとともに、図１２に示すように、和室５Ｃの奧側の間仕切り壁部１９９を構成する可変間仕切り壁７Ｈを取り外して、開口部８０の幅を拡幅するとともに、取り外した可変間仕切り壁７Ｈを開口部８０を開閉する引戸７９の一側端面に、該引戸７９の移動方向と同一の方向に延在するように固定することで、拡幅された開口部８０を覆う引戸を形成することができる。
つまり、便所２Ｃ、浴室３Ｃ及び洗面所４Ｃへの動線が短いとともに開口部８０が広く、車椅子での移動や介助者や介護者を伴った移動の容易な寝室を短期間で簡単に施工することができる。なお、和室５Ｃの出入口となる開口部８０の構築時の幅を例えば９１０ｍｍ、可変壁部７Ｂを外したリフォーム後の開口幅を例えば、１０００ｍｍとする。
さらに、リフォーム後、和室５Ｃを寝室としてもこの寝室は、浴室３Ｃに隣接する便所２Ｃと隣接して配置されているので、便所２Ｃへの動線が短いのは勿論のこと浴室３Ｃ、洗面所４Ｃへの動線も短く、これらを利用する居住者の移動を容易とすることができる。
【００５２】
［第５の実施の形態］
図１３に第５の実施の形態の住宅を示す。
図１３（ａ）の間取りで示すように、住宅１Ｄは、玄関９０と、玄関９０を挟んで配置されたサニタリー設備を有する部屋とリビングダイニングとなる部屋９２と、キッチン９３、第１の和室９４及び第２の和室９５等とを備える。
サニタリー設備を有する部屋は、便所２Ｄ、洗面所４Ｄ及び浴室３Ｄなどとを有し、便所２Ｄ及び洗面所４Ｄは四方を構造壁で囲まれた同一の領域内に配置されてなり、取り外し自在な可変間仕切り壁７Ｊにより仕切られている。
詳細には便所２Ｄは、キッチン９３と便所２Ｄを仕切る間仕切り壁２０５と、該間仕切り壁２０５に直交して配置された住宅の外壁２０６と、可変間仕切り壁７Ｊと、玄関ホール９０ａを含む玄関９０とを仕切る間仕切り壁２０７とで囲まれ、間仕切り壁２０７には玄関ホール９０ａから便所２Ｄに出入り可能であるとともに片開き戸２０８により開閉可能な開口部（出入口）２０９が形成されている。
【００５３】
また、洗面所４Ｄは、可変間仕切り壁７Ｊと、該可変間仕切り壁７Ｊと直交する外壁２０６と、可変間仕切り壁７Ｊと対向配置され浴室３Ｄとを仕切る間仕切り壁２１０と、間仕切り壁２０７とで囲まれており、間仕切り壁２０７には、玄関ホール９０ａから洗面所４Ｄに連通する開口部（出入口）２１１が形成され、この開口部２１１は、片開きドア２１２により開閉自在となっている。これら便所２Ｄ及び洗面所４Ｄのそれぞれの開口部２０９，２１１は、間仕切り壁２０７において形成された大開口部を可変間仕切り壁７Ｊにより仕切られることで形成されている。なお浴室３Ｄは洗面所４と往き来可能となっている。
【００５４】
このように構築された住宅１Ｄによれば、将来的に、居住者が車椅子を利用した生活を行う場合でも、図１３（ｂ）で示すように、便所２Ｄと洗面所４Ｄとを仕切る間仕切り壁７Ｊを取り外すだけで、便所２Ｄ及び洗面所４Ｄの領域を広くすることができる。
また、可変間仕切り壁７Ｊを取り外すことで、間仕切り壁２０７において可変間仕切り壁７Ｊにより仕切られていた便所２Ｄ及び洗面所４Ｄの開口部２０９，２１１が一体となる。
そして、間仕切り壁２０７において、一体となった開口部２０９及び２１１に片引戸ユニット２５０を取り付け、便所２及び洗面所４Ｄと玄関９０の玄関ホール９０ａとを間仕切りする。
【００５５】
この片引戸ユニット２５０は、一端面が間仕切り壁２０５に接続されるとともに、表裏面が間仕切り壁２０７の表裏面と略面一である間仕切り壁２５３と、該間仕切り壁２５３の裏面側、詳細には便所２Ｄ及び洗面所４Ｄ側の側面側に沿って移動自在な片引戸２５２と、間仕切り壁２５３の裏面側に設けられ片引戸２５２を収納可能な戸袋部２５１とを備える。
片引戸２５２は、間仕切り壁２５３の他端部と間仕切り壁２０７の一端部との間に形成された開口部を閉塞可能に設けられ、前記開口部は車椅子での通行が可能な幅であるとともに、部屋９２の開口部に対向した位置に形成されている。
これにより部屋９２から便所２Ｄ及び洗面所４Ｄへの移動は玄関９０の玄関ホール９０ａを横切って直線的に移動できるようになっている。
よって部屋９２から、便所２Ｄ及び洗面所４Ｄ、さらには洗面所４Ｄを介して浴室３Ｄ等のサニタリ設備を有する各部屋への動線が短く、その移動が容易となっている。また、車椅子を使用する居住者は介助者や介護者を伴った移動を行うことができる。
【００５６】
また、車椅子を用いて使用できる便所２Ｄ及び洗面所４Ｄとが一体となった部屋は片引戸ユニット２５０により玄関ホール９０ａと仕切られるので、便所２Ｄ及び洗面所４Ｄを、居住者、特に高齢虚弱になった居住者が使用する場合にも、使用者のプライバシー確保することができる。さらに、玄関ホール９０ａを挟んで、便所２Ｄ及び洗面所４Ｄと、寝室となる部屋９２とが配置されているので、高齢虚弱者になった際に、部屋９２を寝室として利用し、この部屋９２から便所２Ｄ及び洗面所４Ｄ、浴室３や屋外への移動が容易となり生活に不自由しない。
【００５７】
上記構成では、取り外し可能な間仕切り壁７Ｊを便所２Ｄと洗面所４Ｄとを仕切る間仕切り壁のみとしたがこれに加えて、便所２Ｄ及び洗面所４Ｄの開口部側の間仕切り壁２０７を可変間仕切り壁としてもよい。その一例を変形例として示す。
【００５８】
［変形例］
図１４（ａ）に示す住宅１Ｅでは、便所２Ｅ、洗面所４Ｅ、浴室３Ｅが一列に並んで配置されており、便所２Ｅ及び洗面所４Ｅは住宅１Ｅを支持する構造壁である外壁２２０と、該外壁２２０から直交して互いに平行で且つ離間して設けられた構造壁である２つの間仕切り壁２２１，２２２と、前記外壁２２０に対して離間して対向配置されるとともに両端部が２つの間仕切り壁２２１，２２２に接合された可変間仕切り壁７Ｌとから囲まれている。
可変間仕切り壁７Ｌは、可変間仕切り壁７Ｋが直交した状態で接合され、便所２Ｅと洗面所４Ｅのそれぞれを区画する部位には、出入口である開口部２４１，２４２が形成されている。また、可変間仕切り壁７Ｌのそれぞれの開口縁部には、開口部２４２，２４２のそれぞれを開閉するための片開き戸２４１ａ，２４２ａが取り付けられている。
【００５９】
２つの間仕切り壁２２１，２２２のうち洗面所４と浴室とを仕切る間仕切り壁２２２には３連の引違い窓を有する浴室ドア２３１が取り付けられた開口部２０９が形成され、この開口部２０９を介して洗面所４Ｅと浴室３Ｅとの往き来が自在となっている。なお、３連の引違い窓を重ねて開口部２０９を開放した場合の横幅は、車椅子が通過可能な幅であり、例えば約１０００ｍｍの幅となっている。
【００６０】
このように構成された住宅によれば、居住者が便所２Ｅや洗面所４Ｅなどを有するサニタリー室９７において介助、介護が必要な状態となった場合、特に車椅子を必要とした生活を行う場合でも、これに対応して、可変間仕切り壁７Ｋを取り外すことで、図１４（ｂ）に示すように、便所２Ｅ及び洗面所４Ｅ内領域を広くすることができるとともに、可変間仕切り壁７Ｌを外し、車椅子２２５が通過可能な拡幅された開口部（出入口）を有する間仕切り壁７Ｍを取り付けることで、車椅子２２５での通行が可能なサニタリー室９７を容易に構築することができる。また、このとき、便器２７の周囲や、間仕切り壁２２１、可変間仕切り壁７Ｍのサニタリー側の壁面には手摺２２４を取り付ける。
これにより居住者は、サニタリー室９７へ車椅子２２５で移動することができるとともに、サニタリー室９７内で便所２Ｅや洗面所４Ｅを使用する場合に、介助者スペースＳが形成されているので、介助者に介助されながら容易に使用することができる。
さらに、洗面所４Ｅから浴室３Ｅに車椅子２２５で移動して、浴槽２２６を利用することができる。
【００６１】
このように本実施の形態の各住宅１，１Ａ，１Ｂ，１Ｃ，１Ｄ，１Ｅによれば、居住者が将来、車椅子で生活する障害者、虚弱者になった場合でもそれに対応して、介助、介護が必要な居住者が車椅子を用いて寝室（和室）、便所、洗面所、浴室などに短い動線で容易に往き来可能で、かつそれぞれの部屋を好適に利用できるように、短い施工期間、低コストで容易にリフォームすることができる。
【００６２】
また、取り外しや移動して配置可能な間仕切り壁（具体的には、間仕切り壁部７Ａ、可変壁部７Ｂ，可変間仕切り壁７Ｄ，調整壁部７Ｅ，可変間仕切り壁７Ｆ，調整壁部７Ｇ，可変間仕切り壁７Ｈ，可変間仕切り壁７Ｊ，７Ｋ，７Ｌ，７Ｍ等もそれぞれ上述した構成と同様の構造の壁に設けられるものであれば、任意な位置に設置可能であり、その他、具体的な細部構造等についても適宜に変更可能であることは勿論である。
【００６３】
【発明の効果】
以上のように、請求項１記載の発明に係る住宅によれば、リフォーム時に前記間仕切りを取り外したり、移動して配置するだけで、建物躯体を構成する構造壁を変更する等の大がかりな作業を必要とせず、前記部屋、便所、洗面所及び浴室のうち少なくとも一つの領域を大きくしたり、その出入りを容易に行う構造とすることができる。つまり、居住者が将来、車椅子で生活する障害者、虚弱者になった場合でも、それに対応して、車椅子が必要な居住者が生活するために必要な部屋、便所、洗面所及び浴室を繋ぐ動線が短く、前記部屋、便所、洗面所及び浴室のうち少なくとも一つを、介護、介助者により介護、介助可能なスペースを有する広さにすることができ、前記部屋、便所、洗面所及び浴室のうち少なくとも一つを車椅子で移動できるように容易にリフォームすることができる。
【００６４】
また、前記間仕切り壁を取り外すだけで出入口の大きく、具体的には車椅子での通行が可能な部屋を容易に構築することができる。
【００６５】
また、必要に応じて、前記間仕切り壁を前記開口部の一方の側縁部を形成する位置から取り外して、前記引戸の側端面に接合することで、容易に前記開口部を拡幅することができるととともに、拡幅された開口部を遮蔽する引戸を容易に設置することができる。つまり、拡幅された開口部に対応した別の引戸を用意する必要がなく、施工コストの低廉化を図ることができる。
【００６６】
請求項２記載の発明に係る住宅によれば、前記間仕切り壁を前記構造壁に対して離間移動して設置するだけで幅の広い廊下に容易にリフォームすることができる。
【００６７】
請求項３記載の発明に係る住宅によれば、間仕切り壁を収納室側に移動して設置し、前記便所の領域を大きくすることができ、居住者が便所を利用する際に介助が必要な場合でも、便所内において介助者が介助可能なスペースを確保することができる。また、車椅子で便所内に入り該便所内において車椅子から便器へ移動することができる。
【図面の簡単な説明】
【図１】本発明を適用した第１の実施の形態の住宅を示す図であり、（ａ）は住宅の１階平面図、（ｂ）は（ａ）で示す奥行側間仕切り壁の部分拡大図である。
【図２】図１に示す住宅のリフォーム後の状態を示す図であり、（ａ）はリフォーム後の住宅の１階平面図、（ｂ）は（ａ）で示す奥行側間仕切り壁のリフォーム後の部分拡大図である。
【図３】図２に示す、リフォーム後の引戸を示す図である。
【図４】本発明を適用した第２の実施の形態の住宅を示す図であり、（ａ）は構築時の住宅の１階平面図、（ｂ）は（ａ）においてリフォームされた部分のみを示す間取り図である。
【図５】図４における可変間仕切り壁の取付構造を示す概略斜視図である。
【図６】本発明に係る第３の実施の形態の住宅を示す図であり、（ａ）は同住宅の正面図、（ｂ）は背面図である。
【図７】本発明に係る第３の実施の形態の住宅の１階の間取りを示す平面図である。
【図８】同住宅の２階の間取りを示す平面図である。
【図９】図７に示す寝室内廊下部分の状態を示す図であり、（ａ）は構築時の状態を示す概略平面図であり、（ｂ）は拡幅された後の状態を示す概略平面図である。
【図１０】本発明に係る第４の実施の形態の住宅の１階の間取りを示す平面図である。
【図１１】同住宅の２階の間取りを示す平面図である。
【図１２】図１０に示す間仕切り壁部のリフォーム前とリフォーム五の状態を示す概略平面図である。
【図１３】本発明に係る第５の実施の形態の住宅の１階の間取りを示す図であり、（ａ）は構築時の平面図、（ｂ）はリフォーム後の平面図である。
【図１４】本発明に係る変形例としての住宅の有する便所、洗面所及び浴室を示す図であり、（ａ）は構築時における部分平面図、（ｂ）はリフォーム後における部分平面図である。
【符号の説明】
１，１Ａ，１Ｂ，１Ｃ，１Ｄ，１Ｅ      住宅
２，２Ａ，２Ｂ，２Ｃ，２Ｄ，２Ｅ      便所
３，３Ａ，３Ｂ，３Ｃ，３Ｄ，３Ｅ      浴室
４，４Ａ，４Ｂ，４Ｃ，４Ｄ，４Ｅ      洗面所
５，５Ａ，５Ｃ      和室（将来的に寝室となる部屋）
５Ｂ      寝室（部屋）
７      開口壁（取り外し可能な間仕切り壁）
７Ａ      間仕切り壁部（取り外し可能な間仕切り壁）
７Ｂ      可変壁部（取り外し可能な間仕切り壁）
７Ｄ      可変間仕切り壁（移動して設置可能な間仕切り壁）
７Ｅ      第１調整壁部（取り外し可能な間仕切り壁）
７Ｆ      可変間仕切り壁（移動して設置可能な間仕切り壁）
７Ｇ      第２調整壁部（取り外し可能な間仕切り壁）
７Ｈ，７Ｊ，７Ｋ，７Ｌ，７Ｍ      可変間仕切り壁（取り外し可能な間仕切り壁）
１４９  間仕切り壁（取り外し可能な間仕切り壁）
【図１】
0004014899.tif 000002
【図２】
0004014899.tif 000003
【図３】
0004014899.tif 000004
【図４】
0004014899.tif 000005
【図５】
0004014899.tif 000006
【図６】
0004014899.tif 000007
【図７】
0004014899.tif 000008
【図８】
0004014899.tif 000009
【図９】
0004014899.tif 000010
【図１０】
0004014899.tif 000011
【図１１】
0004014899.tif 000012
【図１２】
0004014899.tif 000013
【図１３】
0004014899.tif 000014
【図１４】
0004014899.tif 000015